(57)【要約】  【課題】  従来から、利用者が予め決められたアイコンの中から任意に設定し、表示を変更させることは行われている。しかし、利用者による変更処理を経た後にしかアイコンが変更されないため、状況に応じて即座にアイコンを切り替えて使用することは難しい。  【解決手段】  本発明は、複数のアイコンの候補情報の中からアイコン候補情報特定情報に基づいて一のアイコン候補情報を特定し、表示アイコンとする電子機器である。このとき、時間情報、場所情報、電子機器の動作履歴情報、アイコン選択動作履歴情報に基づいて一のアイコン候補情報を特定することができる。さらに、撮影等することで取得したアイコン候補情報を、少なくとも一の処理実行と対応させて、表示アイコンとする。加えて、時間情報などの特定条件とも関連付けて表示アイコンとする。【選択図】            図２
2005301538.tif 000002
【特許請求の範囲】
【請求項１】
表示アイコンの選択動作により所定の処理実行をするための複数の処理実行部と、
少なくとも一の処理実行に対応する表示アイコンを表示するためのアイコン候補情報を複数保持するアイコン候補情報保持部と、
前記複数のアイコン候補情報の中から一のアイコン候補情報を特定するための情報であるアイコン候補情報特定情報を取得するアイコン候補情報特定情報取得部と、
前記アイコン候補情報特定情報取得部で取得したアイコン候補情報特定情報に基づいて一のアイコン候補情報を特定するアイコン候補情報特定部と、
前記アイコン候補情報特定部で特定されたアイコン候補情報である特定アイコン候補情報を表示して表示アイコンとするためのアイコン表示部と、
前記アイコン表示部で表示された表示アイコンの選択動作をするための表示アイコン選択動作部と、
を有する電子機器。
【請求項２】
前記アイコン表示部は、前記表示アイコン選択動作部にて選択された選択前表示アイコンに代えて新たな表示アイコンである選択後表示アイコンを表示する選択アイコン変更手段を有する請求項１に記載の電子機器。
【請求項３】
前記アイコン表示部は、前記表示アイコン選択動作部にて選択された選択表示アイコン以外のアイコンである非選択前表示アイコンに代えて新たな表示アイコンである非選択後表示アイコンを表示する非選択アイコン変更手段を有する請求項１又は２に記載の電子機器。
【請求項４】
前記アイコン表示部の前記非選択アイコン変更手段は、
前記表示アイコン選択部にて選択された選択表示アイコンを表示するための特定アイコン候補情報に関連付けて、前記非選択後表示アイコンを表示する選択アイコン依存非選択アイコン変更器を有する請求項３に記載の電子機器。
【請求項５】
前記アイコン候補情報特定情報取得部は、アイコン候補情報特定情報として、時間情報を取得する時間情報取得手段を有し、
前記アイコン候補情報特定部は、前記時間情報に基づいて一のアイコン候補情報を特定する時間情報依存アイコン候補情報特定手段を有する、
請求項１から４のいずれか一に記載の電子機器。
【請求項６】
前記アイコン候補情報特定情報取得部は、アイコン候補情報特定情報として、場所情報を取得する場所情報取得手段を有し、
前記アイコン候補情報特定部は、前記場所情報に基づいて一のアイコン候補情報を特定する場所情報依存アイコン候補情報特定手段を有する、
請求項１から５のいずれか一に記載の電子機器。
【請求項７】
前記アイコン候補情報特定情報取得部は、アイコン候補情報特定情報として、電子機器の動作履歴を示す情報である動作履歴情報を取得する動作履歴情報取得手段を有し、
前記アイコン候補情報特定部は、前記動作履歴情報に基づいて一のアイコン候補情報を特定する動作履歴情報依存アイコン候補情報特定手段を有する、
請求項１から６のいずれか一に記載の電子機器。
【請求項８】
前記アイコン候補情報特定情報取得部は、アイコン候補情報特定情報として、前記表示アイコン選択動作部でのアイコン選択動作履歴を示す情報であるアイコン選択動作履歴情報を取得するアイコン選択動作履歴情報取得手段を有し、
前記アイコン候補情報特定部は、前記アイコン選択動作履歴情報に基づいて一のアイコン候補情報を特定するアイコン選択動作履歴情報依存アイコン候補情報特定手段を有する、
請求項１から７のいずれか一に記載の電子機器。
【請求項９】
アイコン候補情報を取得するためのアイコン候補情報取得部と、
前記アイコン候補情報取得部で取得されたアイコン候補情報を少なくとも一の処理実行と対応させて前記アイコン候補情報保持部に記録するアイコン候補情報記録部と、
をさらに有する請求項１から８のいずれか一に記載の電子機器。
【請求項１０】
前記アイコン候補情報記録部は、前記アイコン候補情報の記録に際して、さらにアイコン候補情報特定情報に基づく特定の条件である特定条件とも関連付けて記録する特定条件依存記録手段を有する請求項９に記載の電子機器。
【請求項１１】
前記複数の処理実行部の中には、携帯電話機能を実行するための携帯電話処理実行部が含まれる請求項１から１０のいずれか一に記載の電子機器。
【発明の詳細な説明】
【技術分野】
【０００１】
本発明は、アイコンを表示する電子機器に関するものである。
【背景技術】
【０００２】
従来から、利用者が予め決められたアイコンの中から任意に設定し、表示を変更させることは行われている（特許文献１参照。）。
【０００３】
【特許文献１】特開平０５−１５０９３３号公報
【発明の開示】
【発明が解決しようとする課題】
【０００４】
しかしながら、上記手法においては、利用者による変更処理を経た後にしかアイコンが変更されないため、状況に応じて即座にアイコンを切り替えて使用することは難しいという課題がある。
【課題を解決するための手段】
【０００５】
本発明は、かかる実情に鑑み、複数のアイコンの候補情報の中からアイコン候補情報特定情報に基づいて一のアイコン候補情報を特定し、表示アイコンとする電子機器である。このとき、選択された選択前表示アイコンに代えて新たな表示アイコンを表示することや、選択された選択表示アイコン以外のアイコンである非選択前表示アイコンに代えて新たな表示アイコンを表示することができる。  さらに、時間情報、場所情報、電子機器の動作履歴情報、アイコン選択動作履歴情報に基づいて一のアイコン候補情報を特定することができる。  また、アイコン候補情報を取得し、取得されたアイコン候補情報を少なくとも一の処理実行と対応させて前記アイコン候補情報保持部に記録することができる。このとき、アイコン候補情報の記録に際して、さらにアイコン候補情報特定情報に基づく特定の条件である特定条件とも関連付けて記録するとしてもよい。
【発明の効果】
【０００６】
以上、説明したように本件発明のいずれか一又は二以上の発明に係る電子機器は、アイコン候補情報特定情報によって、特定すべきアイコン候補情報や、表示のタイミングなどを指定できるため、状況に応じて即座にアイコンを切り替えて使用することが可能となる。したがって、電子機器の画面上に表示されるアイコンを例えば仕事用と、プライベート用に切り替えることが容易にできる。また、このときアイコン候補情報特定情報によって、特定すべきアイコン候補情報などを指定しておくことで、最小限の作業にてアイコンを切り替えて使用することが可能となる。  さらに、時間情報、場所情報、電子機器の動作履歴情報、アイコン選択動作履歴情報に基づいて一のアイコン候補情報を特定する場合には、利用者の生活習慣に合わせてアイコンが自動的に切り替わり便利である。  また、電子機器で撮影等して取得した画像を用いて、利用者が自由にアイコンを作成することができる場合には、利用者を飽きさせることなく電子機器の利用度を高める効果を有する。
【発明を実施するための最良の形態】
【０００７】
以下に、各発明を実施するための最良の形態を説明する。なお、本発明はこれら実施の形態に何ら限定されるものではなく、その要旨を逸脱しない範囲において、種々なる態様で実施しうる。
【０００８】
実施形態１は、主に請求項１などについて説明する。実施形態２は、主に請求項２などについて説明する。実施形態３は、主に請求項３などについて説明する。実施形態４は、主に請求項４などについて説明する。実施形態５は、主に請求項５などについて説明する。実施形態６は、主に請求項６などについて説明する。実施形態７は、主に請求項７などについて説明する。実施形態８は、主に請求項８などについて説明する。実施形態９は、主に請求項９などについて説明する。実施形態１０は、主に請求項１０などについて説明する。実施形態１１は、主に請求項１１などについて説明する。
【０００９】
<<実施形態１>>
【００１０】
<実施形態１：概要>  実施形態１について説明する。本実施形態は、複数のアイコンの候補情報の中からアイコン候補情報特定情報に基づいて一のアイコン候補情報を特定し、表示アイコンとする電子機器である。
【００１１】
図１は、本実施形態の概念の一例を示すものである。図で示した電子機器の画面上には、４つのアイコンが表示されている。表示されたアイコンは、電子機器をボタン操作等することで選択動作ができ、それぞれの表示アイコンに対応した所定の処理を実行する。例えば、現在表示されているカメラのアイコンを選択すると、電子機器のモードがカメラ機能に切り替わり、撮影することが可能となる。  ここで、撮影処理に対応する表示アイコンを表示するためにアイコン候補情報としてカメラのアイコンのほかに、猫のアイコンと、英文字のアイコンが保持されている。今、これら複数のアイコン候補情報の中から一のアイコン候補情報を特定するための情報であるアイコン候補情報特定情報を取得する（１）。アイコン候補情報特定情報は、例えば、アイコンの切り替え命令や、アイコン候補情報の指定などが含まれる場合がある。ここでは、プライベート用のアイコンへの切り替え命令が行われたとする。  次に、取得したアイコン候補情報特定情報に基づいて一のアイコン候補情報を特定する（２）。プライベート用のアイコンが、猫のアイコンであるとすると、猫のアイコンが特定アイコン候補情報となる。この特定アイコン候補情報を電子機器の画面上に表示し、表示アイコンとする（３）。先のカメラのアイコンに代わり、猫のアイコンが表示される。
【００１２】
<実施形態１：構成>  本実施形態での機能ブロックの一例を図２に示した。  図２に示す本実施形態の「電子機器」（０２００）は、「処理実行部」（０２０１）と、「アイコン候補情報保持部」（０２０２）と、「アイコン候補情報特定情報取得部」（０２０３）と、「アイコン候補情報特定部」（０２０４）と、「アイコン表示部」（０２０５）と、「表示アイコン選択動作部」（０２０６）とからなる。
【００１３】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１４】
「電子機器」（０２００）は、アイコンを表示することが可能な情報端末のことである。電子機器には、パソコン、携帯電話、ＰＤＡなどが広く含まれる場合がある。
【００１５】
「処理実行部」（０２０１）は、表示アイコンの選択動作により所定の処理実行をする。「表示アイコン」は、処理の対象や内容を記号などで表したものであり、後述するアイコン候補情報を表示することで表示アイコンとなる。アイコンは、ｊｐｇ、ｇｉｆなどのファイルによって画像表示が実現でき、先の例ではカメラなどのイメージが該当する。  表示アイコンを選択することで、所定の処理実行がなされ、例えば、カメラのアイコンを選択すれば、撮影処理の実行が可能となり、手紙のアイコンを選択すれば、メールの送受信処理の実行が可能となる。したがって、表示アイコンと対応する電子機器の機能に相当する数の処理実行部が必要である。ただし、図２では処理実行部は一のみを記載し、後は省略した。
【００１６】
「アイコン候補情報保持部」（０２０２）は、少なくとも一の処理実行に対応する表示アイコンを表示するためのアイコン候補情報を複数保持する。「アイコン候補情報」は、表示アイコンを変更する際の候補となるアイコンの情報である。一の処理実行について一以上のアイコンが対応しており、先の例では撮影処理について、カメラのアイコンと、猫のアイコンと、英文字のアイコンが対応している。
【００１７】
「アイコン候補情報特定情報取得部」（０２０３）は、アイコン候補情報特定情報を取得する。「アイコン候補情報特定情報」は、前記複数のアイコン候補情報の中から一のアイコン候補情報を特定するための情報である。アイコン候補情報特定情報は、例えば、アイコンの切り替え命令や、アイコン候補情報の指定などが含まれる場合がある。例えば、プライベート用のアイコンへの切り替え命令や、アイコン候補情報の識別番号などを指定することなどが該当する。また、アイコン候補情報特定情報は、時間、場所、電子機器の動作履歴などに応じてアイコンの特定が行われるような情報である場合もある。これについては、実施形態４から７にて詳述する。  一方、アイコン候補情報特定情報は、利用者がボタン操作など行って入力等されることにより取得する場合や、外部から送信されたものを受信することで取得する場合などがある。また、電子機器の内部においてアイコン候補情報特定情報を生成することにより取得する場合もある。
【００１８】
「アイコン候補情報特定部」（０２０４）は、前記アイコン候補情報特定情報取得部（０２０３）で取得したアイコン候補情報特定情報に基づいて一のアイコン候補情報を特定する。先の例では、アイコン候補情報として、カメラ、猫、英文字のアイコンが保持されているが、アイコン候補情報特定情報が、プライベート用のアイコンへの切り替え命令であったとすると、これに基づいて猫のアイコンのアイコン候補情報を特定する。
【００１９】
「アイコン表示部」（０２０５）は、前記アイコン候補情報特定部（０２０４）で特定されたアイコン候補情報である特定アイコン候補情報を表示して表示アイコンとするための処理を行う。特定アイコン候補情報は、先の例では、猫のアイコンのアイコン候補情報が該当する。特定アイコン候補情報が表示されることで表示アイコンとなる。先のカメラのアイコンに代わり、猫のアイコンが電子機器の画面上に表示される。
【００２０】
「表示アイコン選択動作部」（０２０６）は、前記アイコン表示部（０２０５）で表示された表示アイコンの選択動作をするための処理を行う。アイコンの選択は、電子機器のボタン操作などにより行われる。アイコンが選択されれば、処理実行部（０２０１）にて所定の処理が実行される。
【００２１】
<実施形態１：処理の流れ>  図３は、実施形態１での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報を取得する（アイコン候補情報特定情報取得ステップ  Ｓ０３０１）。次に、アイコン候補情報特定情報取得ステップ（Ｓ０３０１）にて取得したアイコン候補情報特定情報に基づいて、複数の中から一のアイコン候補情報を特定する（アイコン候補情報特定ステップ  Ｓ０３０２）。最後に、アイコン候補情報特定ステップ（Ｓ０３０２）にて特定されたアイコン候補情報である特定アイコン候補情報を表示して表示アイコンとするための処理を行う（アイコン表示ステップ  Ｓ０３０３）。  なお、電子機器の通常時の動作方法としては、表示された表示アイコンの選択動作をするための処理を行い、この表示アイコンの選択動作により所定の処理実行をするというステップよりなる。  以上の処理は、計算機に実行させるためのプログラムで実行することができ、また、このプログラムを計算機によって読み取り可能な記録媒体に記録することができる。（本明細書の全体を通して同様である。）
【００２２】
<実施形態１：効果>  本実施形態は、複数のアイコンの候補情報の中からアイコン候補情報特定情報に基づいて一のアイコン候補情報を特定し、表示アイコンとする電子機器である。アイコン候補情報特定情報によって、特定すべきアイコン候補情報や、表示のタイミングなどを指定できるため、状況に応じて即座にアイコンを切り替えて使用することが可能となる。したがって、電子機器の画面上に表示されるアイコンを例えば仕事用と、プライベート用に切り替えることが容易にできる。
【００２３】
<<実施形態２>>
【００２４】
<実施形態２：概要>  実施形態２について説明する。本実施形態は、表示アイコン選択動作部にて選択された選択前表示アイコンに代えて新たな表示アイコンである選択後表示アイコンを表示することに特徴を有する電子機器である。
【００２５】
<実施形態２：構成>  本実施形態での機能ブロックの一例を図４に示した。  図４に示す本実施形態の「電子機器」（０４００）は、「処理実行部」（０４０１）と、「アイコン候補情報保持部」（０４０２）と、「アイコン候補情報特定情報取得部」（０４０３）と、「アイコン候補情報特定部」（０４０４）と、「アイコン表示部」（０４０５）と、「表示アイコン選択動作部」（０４０６）とからなり、さらに、アイコン表示部（０４０５）は「選択アイコン変更手段」（０４０７）を有する。
【００２６】
「選択アイコン変更手段」（０４０７）は、前記表示アイコン選択動作部（０４０６）にて選択された選択前表示アイコンに代えて新たな表示アイコンである選択後表示アイコンを表示する。図７（ａ）に一例として、カメラで示されるアイコンを選択することで、カメラのアイコンが猫のアイコンへと表示が変更する態様を示した。この場合には、カメラのアイコンが選択前アイコンに該当し、猫のアイコンが選択後表示アイコンに該当する。また前提として、表示アイコンをどのアイコンに変更するかを、アイコン候補情報特定情報取得部（０４０３）にて取得したアイコン候補情報特定情報によって特定することができる。  その他各部の処理については、実施形態１と同様である。
【００２７】
<実施形態２：処理の流れ>  図５は、実施形態２での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報を取得する（アイコン候補情報特定情報取得ステップ  Ｓ０５０１）。次に、アイコン候補情報特定情報取得ステップ（Ｓ０５０１）にて取得したアイコン候補情報特定情報に基づいて、複数の中から一のアイコン候補情報を特定する（アイコン候補情報特定ステップ  Ｓ０５０２）。最後に、選択された選択前表示アイコンに代えて、アイコン候補情報特定ステップ（Ｓ０５０２）にて特定されたアイコン候補情報である特定アイコン候補情報を選択後表示アイコンとするための処理を行う（アイコン表示ステップ  Ｓ０５０３）。なお、アイコン候補情報特定ステップ（Ｓ０５０２）におけるアイコン候補情報の特定処理と、アイコン表示ステップ（Ｓ０５０３）におけるアイコンの表示処理は同時になされる場合もある。
【００２８】
<実施形態２：効果>  本実施形態は、表示アイコン選択動作部にて選択された選択前表示アイコンに代えて新たな表示アイコンである選択後表示アイコンを表示することに特徴を有する電子機器である。電子機器の画面上に表示されるアイコンを選択することでその表示を変更できるため、一部の表示アイコンのみを変更したい場合に便利である。また、このときアイコン候補情報特定情報によって、特定すべきアイコン候補情報などを指定しておくことで、最小限の作業にてアイコンを切り替えて使用することが可能となる。
【００２９】
<<実施形態３>>
【００３０】
<実施形態３：概要>  実施形態３について説明する。本実施形態は、表示アイコン選択動作部にて選択された選択表示アイコン以外のアイコンである非選択前表示アイコンに代えて新たな表示アイコンである非選択後表示アイコンを表示することに特徴を有する電子機器である。
【００３１】
<実施形態３：構成>  本実施形態での機能ブロックの一例を図５に示した。  図６に示す本実施形態の「電子機器」（０６００）は、「処理実行部」（０６０１）と、「アイコン候補情報保持部」（０６０２）と、「アイコン候補情報特定情報取得部」（０６０３）と、「アイコン候補情報特定部」（０６０４）と、「アイコン表示部」（０６０５）と、「表示アイコン選択動作部」（０６０６）とからなり、さらに、アイコン表示部（０６０５）は「非選択アイコン変更手段」（０６０７）を有する。
【００３２】
「非選択アイコン変更手段」（０６０７）は、前記表示アイコン選択動作部（０６０６）にて選択された選択表示アイコン以外のアイコンである非選択前表示アイコンに代えて新たな表示アイコンである非選択後表示アイコンを表示する。非選択前表示アイコンは、選択動作がされなかった表示アイコンのことをいい、非選択後表示アイコンは、非選択前表示アイコンの表示を変更した後の表示アイコンをいう。図７（ｂ）に一例として、手紙で示されるアイコンを選択することで、それ以外のアイコンである時計のアイコンが猫のアイコンに表示が変更する態様を示した。この場合には、時計のアイコンが非選択前アイコンに該当し、猫のアイコンが非選択後表示アイコンに該当する。なお、図７においては、一部のアイコンのみが変更する態様を示したが、全てのアイコンの表示が変更する場合もある。またこのとき、表示アイコンをどのアイコンに変更するかは、アイコン候補情報特定情報取得部（０６０３）にて取得したアイコン候補情報特定情報によって特定することができるとしてもよい。  その他各部の処理については、実施形態１又は２と同様である。
【００３３】
<実施形態３：処理の流れ>  図８は、実施形態３での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報を取得する（アイコン候補情報特定情報取得ステップ  Ｓ０８０１）。次に、アイコン候補情報特定情報取得ステップ（Ｓ０８０１）にて取得したアイコン候補情報特定情報に基づいて、複数の中から一のアイコン候補情報を特定する（アイコン候補情報特定ステップ  Ｓ０８０２）。最後に、選択された選択表示アイコン以外のアイコンである非選択前表示アイコンに代えて、アイコン候補情報特定ステップ（Ｓ０８０２）にて特定されたアイコン候補情報である特定アイコン候補情報を非選択後表示アイコンとするための処理を行う（アイコン表示ステップ  Ｓ０８０３）。なお、アイコン候補情報特定ステップ（Ｓ０８０２）におけるアイコン候補情報の特定処理と、アイコン表示ステップ（Ｓ０８０３）におけるアイコンの表示処理は同時になされる場合もある。
【００３４】
<実施形態３：効果>  本実施形態は、表示アイコン選択動作部にて選択された選択表示アイコン以外のアイコンである非選択前表示アイコンに代えて新たな表示アイコンである非選択後表示アイコンを表示することに特徴を有する電子機器である。電子機器の画面上に表示されるアイコンを選択することにより、選択されたアイコン以外のアイコンの表示を変更できることで、状況に応じて即座にアイコンを切り替えて使用することが可能となる。例えば、手紙のアイコンを選択してメールを送受信する処理を実行した後は、スケジュール帳の表示処理の実行に対応する時計のアイコンをプライベート用のアイコンの表示へ切り替えることができる。仕事が終わって帰宅する旨のメールを送信後は、特段の切り替え処理を行わなくても電子機器の画面上のアイコンがプライベート用に切り替えわっているとすれば便利である。また、このときアイコン候補情報特定情報によって、特定すべきアイコン候補情報などを指定しておくことで、最小限の作業にてアイコンを切り替えて使用することが可能となる。
【００３５】
<<実施形態４>>
【００３６】
<実施形態４：概要>  実施形態４について説明する。本実施形態は、表示アイコン選択動作部にて選択された選択表示アイコンを表示するための特定アイコン候補情報に関連付けて、前記非選択後表示アイコンを表示することに特徴を有する電子機器である。
【００３７】
<実施形態４：構成>  本実施形態での機能ブロックの一例を図９に示した。  図９に示す本実施形態の「電子機器」（０９００）は、「処理実行部」（０９０１）と、「アイコン候補情報保持部」（０９０２）と、「アイコン候補情報特定情報取得部」（０９０３）と、「アイコン候補情報特定部」（０９０４）と、「アイコン表示部」（０９０５）と、「表示アイコン選択動作部」（０９０６）とからなり、アイコン表示部（０９０５）は「非選択アイコン変更手段」（０９０７）を有し、さらに、非選択アイコン変更手段（０９０７）は「選択アイコン依存非選択アイコン変更器」（０９０８）を有する。
【００３８】
「選択アイコン依存非選択アイコン変更器」（０９０８）は、前記表示アイコン選択動作部（０９０６）にて選択された選択表示アイコンを表示するための特定アイコン候補情報に関連付けて、前記非選択後表示アイコンを表示する。特定アイコン候補情報に関連付けるということは、アイコン候補情報特定情報にも関連付けられることをも含む場合がある。
【００３９】
図１０に非選択後表示アイコンを表示する一例を示した。まず、手紙のアイコンを選択したとする（１）。これが選択表示アイコンである。今、選択表示アイコンを表示するための特定アイコン候補情報が、選択した手紙のアイコンを識別するための情報（「０４００１」）を含んでいたとする。このとき、例えば、上２桁がアイコンの画面上での位置を示す情報（「０４」）であるであるとする。一方、この特定アイコン候補情報に関連付けて、選択された手紙のアイコン以外のアイコンである非選択前表示アイコンに代えて非選択後表示アイコンを表示する（２）。ここでは、カメラのアイコンが非選択前表示アイコンに該当し、猫のアイコンが非選択後表示アイコンに該当する。非選択後表示アイコンの特定の際には、例えば、特定アイコン候補情報に含まれるアイコンの画面上での位置を示す情報（「０４」）に関連付けて、これが偶数であることから、２つのアイコン候補情報のうち偶数の番号が割り当てられている方のアイコン候補情報である猫のアイコン（「００２」）を非選択後表示アイコンとすることができる。なお、図１０においては、一部のアイコンのみが変更する態様を示したが、全てのアイコンの表示が変更する場合もある。  その他各部の処理については、実施形態３と同様である。
【００４０】
<実施形態４：効果>  本実施形態は、表示アイコン選択動作部にて選択された選択表示アイコンを表示するためのアイコン候補情報特定情報に関連付けて、前記非選択後表示アイコンを表示することに特徴を有する電子機器である。電子機器の画面上に表示されるアイコンを選択することにより、選択されたアイコン以外のアイコンの表示を変更できることで、状況に応じて即座にアイコンを切り替えて使用することが可能となる。このとき、アイコン候補情報特定情報によって、特定すべきアイコン候補情報などを指定しておくことで、最小限の作業にてアイコンを切り替えて使用することが可能となる。このとき、一部のみでなく全てのアイコンを変更する場合には、効率がよい。また、例えば、選択したアイコンの位置を示す情報に関連付けて、非選択後表示アイコンを切り替える場合には、偏ることなくアイコンを切り替えることができ便利である。
【００４１】
<<実施形態５>>
【００４２】
<実施形態５：概要>  実施形態５について説明する。本実施形態は、時間情報に基づいて一のアイコン候補情報を特定することに特徴を有する電子機器である。
【００４３】
<実施形態５：構成>  本実施形態での機能ブロックの一例を図１１に示した。  図１１に示す本実施形態の「電子機器」（１１００）は、「処理実行部」（１１０１）と、「アイコン候補情報保持部」（１１０２）と、「アイコン候補情報特定情報取得部」（１１０３）と、「アイコン候補情報特定部」（１１０４）と、「アイコン表示部」（１１０５）と、「表示アイコン選択動作部」（１１０６）とからなり、さらに、アイコン候補情報特定情報取得部（１１０３）は「時間情報取得手段」（１１０７）を有し、アイコン候補情報特定部（１１０４）は「時間情報依存アイコン候補情報特定手段」（１１０８）を有する。
【００４４】
「時間情報取得手段」（１１０７）は、アイコン候補情報特定情報として、時間情報を取得する。「時間情報」は、アイコン候補情報を特定する処理を行う時間を示すための情報である。時間情報は、例えば、特定の時刻（９時など）や、アイコン候補情報を特定するまでの残り時間（あと２時間など）等が該当する。時間情報は、電子機器の利用者がボタン操作などを行い、入力、設定する場合などが想定される。
【００４５】
「時間情報依存アイコン候補情報特定手段」（１１０８）は、時間情報に基づいて一のアイコン候補情報を特定する。電子機器の時計機能を用いて、時間情報で示される特定の時刻にアイコン候補情報が特定され、特定された特定アイコン候補情報は表示アイコンとして表示される。例えば、朝の９時に仕事用の表示アイコンを、夕方５時にプライベート用の表示アイコンを表示するように設定しておけば、利用者の生活習慣に合わせてアイコンが自動的に切り替わる。また、新たな表示アイコンは、一部の表示アイコンの代わりに表示されるとしてもよいし、全部の表示アイコンが切り替わるとしてもよい。さらに、アイコン候補情報特定情報に含まれる時間情報以外の情報に基づいて、複数のアイコン候補情報の中から一のアイコン候補情報が特定されるとしてもよい。  その他各部の処理については、実施形態１から４と同様である。
【００４６】
<実施形態５：処理の流れ>  図１２は、実施形態５での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報として時間情報を取得する（アイコン候補情報特定情報取得ステップ  Ｓ１２０１）。次に、アイコン候補情報特定情報取得ステップ（Ｓ１２０１）にて取得した時間情報に基づいて、所定の時間か判断する（判断ステップ  Ｓ１００２）。このとき、所定の時間になるまで判断ステップ（Ｓ１２０２）を繰り返すとしてもよい。判断ステップ（Ｓ１２０２）にて、所定の時間が経過したとの判断結果が得られた場合には、アイコン候補情報特定情報取得ステップ（Ｓ１２０１）にて取得したアイコン候補情報特定情報に基づいて一のアイコン候補情報を特定する（アイコン候補情報特定ステップ  Ｓ１２０３）。最後に、アイコン候補情報特定ステップ（Ｓ１２０３）にて特定されたアイコン候補情報である特定アイコン候補情報を表示して表示アイコンとするための処理を行う（アイコン表示ステップ  Ｓ１２０４）。
【００４７】
<実施形態５：効果>  本実施形態は、時間情報に基づいて一のアイコン候補情報を特定することに特徴を有する電子機器である。朝の９時に仕事用の表示アイコンを、夕方５時にプライベート用の表示アイコンを表示するように設定しておけば、利用者が特段の作業をすることなく、利用者の生活習慣に合わせてアイコンが自動的に切り替わり便利である。
【００４８】
<<実施形態６>>
【００４９】
<実施形態６：概要>  実施形態６について説明する。本実施形態は、場所情報に基づいて一のアイコン候補情報を特定することに特徴を有する電子機器である。
【００５０】
<実施形態６：構成>  本実施形態での機能ブロックの一例を図１３に示した。  図１３に示す本実施形態の「電子機器」（１３００）は、「処理実行部」（１３０１）と、「アイコン候補情報保持部」（１３０２）と、「アイコン候補情報特定情報取得部」（１３０３）と、「アイコン候補情報特定部」（１３０４）と、「アイコン表示部」（１３０５）と、「表示アイコン選択動作部」（１３０６）とからなり、さらに、アイコン候補情報特定情報取得部（１３０３）は「場所情報取得手段」（１３０７）を有し、アイコン候補情報特定部（１３０４）は「場所情報依存アイコン候補情報特定手段」（１３０８）を有する。
【００５１】
「場所情報取得手段」（１３０７）は、アイコン候補情報特定情報として、場所情報を取得する。「場所情報」は、アイコン候補情報を特定する処理を実行すべき場合の電子機器の位置する場所を示す情報である。場所情報は、例えば、特定のエリア（東京駅周辺など）や、境界（県境など）等が該当し、電子機器の利用者がボタン操作などを行い、入力、設定する場合などが想定される。
【００５２】
「場所情報依存アイコン候補情報特定手段」（１３０８）は、場所情報に基づいて一のアイコン候補情報を特定する。電子機器は、ＧＰＳの衛星や、携帯電話の基地局などから発せられる信号をもとに現在地の情報を生成等し、場所情報で示される特定のエリア内に電子機器が侵入した場合にはアイコン候補情報が特定され、特定された特定アイコン候補情報は表示アイコンとして表示される。図１４には、電子機器を所持する利用者が通勤する途中、会社から所定の範囲内に近づいたときに表示アイコンが切り替わる態様を示した。図左上の会社から比較的離れた（ａ）の位置にいるときには、電子機器の画面にはプライベート用の表示アイコンである猫のアイコンが表示されたままである。一方、会社から破線で示す所定の範囲内に近づいた（ｂ）の位置まで到達した場合には、仕事用の表示アイコンであるカメラのアイコンへと切り替わる。このように、例えば、会社周辺に近づいたときに仕事用の表示アイコンを、自宅周辺に近づいたときにプライベート用の表示アイコンを表示するように設定しておけば、利用者の生活習慣に合わせてアイコンが自動的に切り替わる。また、新たな表示アイコンは、一部の表示アイコンの代わりに表示されるとしてもよいし、全部の表示アイコンが切り替わるとしてもよい。さらに、アイコン候補情報特定情報に含まれる場所情報以外の情報に基づいて、複数のアイコン候補情報の中から一のアイコン候補情報が特定されるとしてもよい。  その他各部の処理については、実施形態１から５と同様である。
【００５３】
<実施形態６：処理の流れ>  図１５は、実施形態６での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報として場所情報を取得する（アイコン候補情報特定情報取得ステップ  Ｓ１５０１）。次に、アイコン候補情報特定情報取得ステップ（Ｓ１５０１）にて取得した場所情報に基づいて、所定の場所に到達したか判断する（判断ステップ  Ｓ１５０２）。このとき、所定の場所を検知するまで判断ステップ（Ｓ１５０２）を繰り返すとしてもよい。判断ステップ（Ｓ１５０２）にて、所定の場所に到達したとの判断結果が得られた場合には、アイコン候補情報特定情報取得ステップ（Ｓ１５０１）にて取得したアイコン候補情報特定情報に基づいて一のアイコン候補情報を特定する（アイコン候補情報特定ステップ  Ｓ１５０３）。最後に、アイコン候補情報特定ステップ（Ｓ１５０３）にて特定されたアイコン候補情報である特定アイコン候補情報を表示して表示アイコンとするための処理を行う（アイコン表示ステップ  Ｓ１５０４）。
【００５４】
<実施形態６：効果>  本実施形態は、場所情報に基づいて一のアイコン候補情報を特定することに特徴を有する電子機器である。会社周辺に近づいたときに仕事用の表示アイコンを、自宅周辺に近づいたときにプライベート用の表示アイコンを表示するように設定しておけば、利用者が特段の作業をすることなく、利用者の生活習慣に合わせてアイコンが自動的に切り替わり便利である。
【００５５】
<<実施形態７>>
【００５６】
<実施形態７：概要>  実施形態７について説明する。本実施形態は、電子機器の動作履歴情報に基づいて一のアイコン候補情報を特定することに特徴を有する電子機器である。
【００５７】
<実施形態７：構成>  本実施形態での機能ブロックの一例を図１６に示した。  図１６に示す本実施形態の「電子機器」（１６００）は、「処理実行部」（１６０１）と、「アイコン候補情報保持部」（１６０２）と、「アイコン候補情報特定情報取得部」（１６０３）と、「アイコン候補情報特定部」（１６０４）と、「アイコン表示部」（１６０５）と、「表示アイコン選択動作部」（１６０６）とからなり、さらに、アイコン候補情報特定情報取得部（１６０３）は「動作履歴情報取得手段」（１６０７）を有し、アイコン候補情報特定部（１６０４）は「動作履歴情報依存アイコン候補情報特定手段」（１６０８）を有する。
【００５８】
「動作履歴情報取得手段」（１６０７）は、アイコン候補情報特定情報として、動作履歴情報を取得する。「動作履歴情報」は、電子機器の動作履歴を表す情報である。動作履歴情報は、例えば、通話履歴（かける場合、受ける場合）や、メールの受信履歴等が該当し、通話相手などを特定してもよい。動作履歴情報は、電子機器の利用者がボタン操作などを行い、入力、設定する場合などが想定される。
【００５９】
「動作履歴情報依存アイコン候補情報特定手段」（１６０８）は、動作履歴情報に基づいて一のアイコン候補情報を特定する。電子機器は、自身の動作履歴と、動作履歴情報取得手段（１６０７）にて取得された動作履歴情報とを対比し合致する場合には、アイコン候補情報が特定され、特定された特定アイコン候補情報は表示アイコンとして表示される。例えば、自宅へと電話をかけた後は、プライベート用の表示アイコンを表示するように設定しておけば、利用者の生活習慣に合わせてアイコンが自動的に切り替わる。また、新たな表示アイコンは、一部の表示アイコンの代わりに表示されるとしてもよいし、全部の表示アイコンが切り替わるとしてもよい。さらに、アイコン候補情報特定情報に含まれる動作履歴情報以外の情報に基づいて、複数のアイコン候補情報の中から一のアイコン候補情報が特定されるとしてもよい。  その他各部の処理については、実施形態１から６と同様である。
【００６０】
<実施形態７：処理の流れ>  図１７は、実施形態７での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報として動作履歴情報を取得する（アイコン候補情報特定情報取得ステップ  Ｓ１７０１）。次に、アイコン候補情報特定情報取得ステップ（Ｓ１７０１）にて取得した動作履歴情報に基づいて、所定の動作を行ったか判断する（判断ステップ  Ｓ１７０２）。このとき、所定の動作を検知するまで判断ステップ（Ｓ１７０２）を繰り返すとしてもよい。判断ステップ（Ｓ１７０２）にて、所定の動作を行ったとの判断結果が得られた場合には、アイコン候補情報特定情報取得ステップ（Ｓ１７０１）にて取得したアイコン候補情報特定情報に基づいて一のアイコン候補情報を特定する（アイコン候補情報特定ステップ  Ｓ１７０３）。最後に、アイコン候補情報特定ステップ（Ｓ１７０３）にて特定されたアイコン候補情報である特定アイコン候補情報を表示して表示アイコンとするための処理を行う（アイコン表示ステップ  Ｓ１７０４）。
【００６１】
<実施形態７：効果>  本実施形態は、動作履歴情報に基づいて一のアイコン候補情報を特定することに特徴を有する電子機器である。自宅へと電話をかけた後は、プライベート用の表示アイコンを表示するように設定しておけば、利用者が特段の作業をすることなく、利用者の生活習慣に合わせてアイコンが自動的に切り替わり便利である。
【００６２】
<<実施形態８>>
【００６３】
<実施形態８：概要>  実施形態８について説明する。本実施形態は、アイコン選択動作履歴情報に基づいて一のアイコン候補情報を特定することに特徴を有する電子機器である。
【００６４】
<実施形態８：構成>  本実施形態での機能ブロックの一例を図１８に示した。  図１８に示す本実施形態の「電子機器」（１８００）は、「処理実行部」（１８０１）と、「アイコン候補情報保持部」（１８０２）と、「アイコン候補情報特定情報取得部」（１８０３）と、「アイコン候補情報特定部」（１８０４）と、「アイコン表示部」（１８０５）と、「表示アイコン選択動作部」（１８０６）とからなり、さらに、アイコン候補情報特定情報取得部（１８０３）は「アイコン選択動作履歴情報取得手段」（１８０７）を有し、アイコン候補情報特定部（１８０４）は「アイコン選択動作履歴情報依存アイコン候補情報特定手段」（１８０８）を有する。
【００６５】
「アイコン選択動作履歴情報取得手段」（１８０７）は、アイコン候補情報特定情報として、アイコン選択動作履歴情報を取得する。「アイコン選択動作履歴情報」は、表示アイコン選択動作部（１８０６）でのアイコン選択動作履歴を示す情報である。アイコン選択動作履歴情報は、例えば、どの表示アイコンを選択して、どのような処理を実行したかの履歴などが該当する。さらに、表示アイコンを選択し、各処理モードへ切り替わった後のボタン操作（例えば、時計のアイコンを選択してスケジュールモードへ切り替わった後、スケジュール項目を削除する操作等）などが含まれるとしてもよい。アイコン選択動作履歴情報は、電子機器の利用者がボタン操作などを行い、入力、設定する場合などが想定される。
【００６６】
「アイコン選択動作履歴情報依存アイコン候補情報特定手段」（１８０８）は、アイコン選択動作履歴情報に基づいて一のアイコン候補情報を特定する。電子機器は、自身の画面上に表示される表示アイコンの選択動作履歴と、アイコン選択動作履歴情報取得手段（１８０７）にて取得された動作履歴情報とを対比し合致する場合には、アイコン候補情報が特定され、特定された特定アイコン候補情報は表示アイコンとして表示される。例えば、自宅へとメールを送信した後は、プライベート用の表示アイコンを表示するように設定しておけば、利用者の生活習慣に合わせてアイコンが自動的に切り替わる。また、新たな表示アイコンは、一部の表示アイコンの代わりに表示されるとしてもよいし、全部の表示アイコンが切り替わるとしてもよい。さらに、アイコン候補情報特定情報に含まれる動作履歴情報以外の情報に基づいて、複数のアイコン候補情報の中から一のアイコン候補情報が特定されるとしてもよい。  その他各部の処理については、実施形態１から７と同様である。
【００６７】
<実施形態８：処理の流れ>  図１９は、実施形態８での処理の流れの一例を示したものである。少なくとも一の処理実行に対応する表示アイコンを表示するためのアイコン候補情報を複数保持するアイコン候補情報保持部を有する電子機器のアイコンの表示方法は、以下に示すステップよりなる。  まず、複数のアイコン候補情報の中から一のアイコン候補情報を特定するための情報であるアイコン候補情報特定情報としてアイコン選択動作履歴情報を取得する（アイコン候補情報特定情報取得ステップ  Ｓ１９０１）。次に、アイコン候補情報特定情報取得ステップ（Ｓ１９０１）にて取得したアイコン選択動作履歴情報に基づいて、所定のアイコン選択動作を行ったか判断する（判断ステップ  Ｓ１９０２）。このとき、所定のアイコン選択動作を検知するまで判断ステップ（Ｓ１９０２）を繰り返すとしてもよい。判断ステップ（Ｓ１９０２）にて、所定のアイコン選択動作を行ったとの判断結果が得られた場合には、アイコン候補情報特定情報取得ステップ（Ｓ１９０１）にて取得したアイコン候補情報特定情報に基づいて一のアイコン候補情報を特定する（アイコン候補情報特定ステップ  Ｓ１９０３）。最後に、アイコン候補情報特定ステップ（Ｓ１９０３）にて特定されたアイコン候補情報である特定アイコン候補情報を表示して表示アイコンとするための処理を行う（アイコン表示ステップ  Ｓ１９０４）。
【００６８】
<実施形態８：効果>  本実施形態は、アイコン選択動作履歴情報に基づいて一のアイコン候補情報を特定することに特徴を有する電子機器である。自宅へとメールを送信した後は、プライベート用の表示アイコンを表示するように設定しておけば、利用者が特段の作業をすることなく、利用者の生活習慣に合わせてアイコンが自動的に切り替わり便利である。また、アイコン選択動作履歴情報を一の表示アイコンの選択動作のみとするのではなく、一連の選択動作を指定する（自宅へのメール送信、スケジュール項目の削除の処理の後、表示を切り替えるなど）ことで、利用者が表示アイコンの切り替えを望まない場合にまで表示が切り替わることを防ぐこともできる。
【００６９】
<<実施形態９>>
【００７０】
<実施形態９：概要>  実施形態９について説明する。本実施形態は、アイコン候補情報を取得し、取得されたアイコン候補情報を少なくとも一の処理実行と対応させて前記アイコン候補情報保持部に記録することに特徴を有する電子機器である。
【００７１】
<実施形態９：構成>  本実施形態での機能ブロックの一例を図２０に示した。  図２０に示す本実施形態の「電子機器」（２０００）は、「処理実行部」（２００１）と、「アイコン候補情報保持部」（２００２）と、「アイコン候補情報特定情報取得部」（２００３）と、「アイコン候補情報特定部」（２００４）と、「アイコン表示部」（２００５）と、「表示アイコン選択動作部」（２００６）と、さらに、「アイコン候補情報取得部」（２００７）と、「アイコン候補情報記録部」（２００８）と、からなる。
【００７２】
「アイコン候補情報取得部」（２００７）は、アイコン候補情報を取得するための処理を行う。アイコンの画像は、電子機器に備えられたカメラ機能などを用いての撮影や、電子機器の機能を用いての作成、画像が添付されたメールの受信などによって入手することが想定できる。これらの画像からアイコンを表示するためのアイコン候補情報を取得する。
【００７３】
「アイコン候補情報記録部」（２００８）は、アイコン候補情報取得部（２００７）で取得されたアイコン候補情報を少なくとも一の処理実行と対応させて前記アイコン候補情報保持部（２００２）に記録する。例えば、猫を撮影することで猫のアイコン候補情報を取得した場合、この猫のアイコンをメール送受信処理の実行と対応させて記録しておくことで、表示アイコンが切り替わった際に、手紙のアイコンに代わり猫のアイコンが表示される。また、猫のアイコンを選択すると、メールの送受信処理の実行のためのモードに切り替わり、メールの送受信が可能となる。なお、取得したアイコン候補情報と、実行処理とを対応させるためには、例えば、電子機器にて実行が可能な処理に個別の識別番号等を付加し、これを取得したアイコン候補情報と関連付けるなどの手法にて行う。  その他各部の処理は、実施形態１から８と同様である。
【００７４】
<実施形態９：効果>  本実施形態は、アイコン候補情報を取得し、取得されたアイコン候補情報を少なくとも一の処理実行と対応させて前記アイコン候補情報保持部に記録することに特徴を有する電子機器である。電子機器で撮影等して取得した画像を用いて、利用者が自由にアイコンを作成することができ、利用者を飽きさせることなく電子機器の利用度を高める効果を有する。
【００７５】
<<実施形態１０>>
【００７６】
<実施形態１０：概要>  実施形態１０について説明する。本実施形態は、アイコン候補情報の記録に際して、さらにアイコン候補情報特定情報に基づく特定の条件である特定条件とも関連付けて記録することに特徴を有する電子機器である。
【００７７】
<実施形態１０：構成>  本実施形態での機能ブロックの一例を図２１に示した。  図２１に示す本実施形態の「電子機器」（２１００）は、「処理実行部」（２１０１）と、「アイコン候補情報保持部」（２１０２）と、「アイコン候補情報特定情報取得部」（２１０３）と、「アイコン候補情報特定部」（２１０４）と、「アイコン表示部」（２１０５）と、「表示アイコン選択動作部」（２１０６）と、「アイコン候補情報取得部」（２１０７）と、「アイコン候補情報記録部」（２１０８）と、からなり、さらに、アイコン候補情報記録部（２１０８）は「特定条件依存記録手段」（２１０９）を有する。
【００７８】
「特定条件依存記録手段」（２１０９）は、前記アイコン候補情報の記録に際して、さらにアイコン候補情報特定情報に基づく特定の条件である特定条件とも関連付けて記録する。アイコン候補情報特定情報は、アイコン候補情報特定情報取得部（２１０３）にて取得したものなどが想定される。アイコン候補情報特定情報に基づく特定の条件は、すでに実施形態５から８までで説明した時間情報、場所情報、動作履歴情報、アイコン選択動作履歴情報などが該当する。したがって、アイコン候補情報取得部（２１０７）にて取得されたアイコン候補情報は、対応する実行処理と、特定条件とに関連付けられることになる。つまり、先の例では猫のアイコンについてメール送受信処理の実行と対応づけられ、さらに、１７時以降はプライベート用のアイコンに切り替えるとの時間情報に関連付けられるとすると、手紙のアイコンに代わり、１７時以降は猫のアイコンが表示される。このとき、猫のアイコンを選択すると、メールの送受信処理の実行のためのモードに切り替わり、メールの送受信が可能となる。なお、特定条件は、ここでは一のみと関連付けられる場合を示したが、複数の特定条件と関連付けられる場合もある。  その他各部の処理は、実施形態９と同様である。
【００７９】
<実施形態１０：効果>  本実施形態は、アイコン候補情報の記録に際して、さらにアイコン候補情報特定情報に基づく特定の条件である特定条件とも関連付けて記録することに特徴を有する電子機器である。電子機器で撮影等して取得した画像を用いて、利用者が自由にアイコンを作成することができ、便利である。さらに、利用者によるオリジナルアイコンが、時間、場所、電子機器の動作履歴、表示アイコンの選択履歴などに応じて自動的に切り替わり表示されることで、電子機器の利用度を高められる。
【００８０】
<<実施形態１１>>
【００８１】
<実施形態１１：概要>  実施形態１１について説明する。本実施形態は、複数の処理実行部の中には、携帯電話機能を実行するための携帯電話処理実行部が含まれることに特徴を有する電子機器である。
【００８２】
<実施形態１１：構成>  本実施形態での機能ブロックの一例を図２２に示した。  図２２に示す本実施形態の「電子機器」（２２００）は、「処理実行部」（２２０１）と、「アイコン候補情報保持部」（２２０２）と、「アイコン候補情報特定情報取得部」（２２０３）と、「アイコン候補情報特定部」（２２０４）と、「アイコン表示部」（２２０５）と、「表示アイコン選択動作部」（２２０６）と、「アイコン候補情報取得部」（２２０７）と、「アイコン候補情報記録部」（２２０８）と、さらに、「携帯電話処理実行部」（２２０９）と、からなる。
【００８３】
「携帯電話処理実行部」（２２０９）は、携帯電話機能を実行するための処理を行う。電子機器が電話機能を有することで、電話機能に由来するメールなどの通信手段を用いてアイコン画像のやり取りを行うことができる。アイコン画像情報をメールなどに添付することができれば、通信相手から送られたメールを受信し、アイコン候補情報取得部（２２０７）にて、メールからアイコン候補情報を取得する。  その他各部の処理は、実施形態１から１０と同様である。
【００８４】
<実施形態１１：効果>  本実施形態は、複数の処理実行部の中には、携帯電話機能を実行するための携帯電話処理実行部が含まれることに特徴を有する電子機器である。電話機能に由来するメールなどの通信手段を用いて、他者とアイコン画像のやり取りができれば、アイコンのバリエーションが広がり、電子機器自体の利用度も高まることが期待できる。
【図面の簡単な説明】
【００８５】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２の処理の流れを説明する図
【図６】実施形態３を説明するための機能ブロック図
【図７】実施形態２、３の表示態様を説明するための図
【図８】実施形態３の処理の流れを説明する図
【図９】実施形態４を説明するための機能ブロック図
【図１０】実施形態４の表示態様を説明するための図
【図１１】実施形態５を説明するための機能ブロック図
【図１２】実施形態５の処理の流れを説明する図
【図１３】実施形態６を説明するための機能ブロック図
【図１４】実施形態６における表示の切り替えタイミングを説明するための図
【図１５】実施形態６の処理の流れを説明する図
【図１６】実施形態７を説明するための機能ブロック図
【図１７】実施形態７の処理の流れを説明する図
【図１８】実施形態８を説明するための機能ブロック図
【図１９】実施形態８の処理の流れを説明する図
【図２０】実施形態９を説明するための機能ブロック図
【図２１】実施形態１０を説明するための機能ブロック図
【図２２】実施形態１１を説明するための機能ブロック図
【符号の説明】
【００８６】
０２００    電子機器
０２０１    処理実行部
０２０２    アイコン候補情報保持部
０２０３    アイコン候補情報特定情報取得部
０２０４    アイコン候補情報特定部
０２０４    アイコン表示部
０２０５    表示アイコン選択動作部
【図１】
2005301538.tif 000003
【図２】
2005301538.tif 000004
【図３】
2005301538.tif 000005
【図４】
2005301538.tif 000006
【図５】
2005301538.tif 000007
【図６】
2005301538.tif 000008
【図７】
2005301538.tif 000009
【図８】
2005301538.tif 000010
【図９】
2005301538.tif 000011
【図１０】
2005301538.tif 000012
【図１１】
2005301538.tif 000013
【図１２】
2005301538.tif 000014
【図１３】
2005301538.tif 000015
【図１４】
2005301538.tif 000016
【図１５】
2005301538.tif 000017
【図１６】
2005301538.tif 000018
【図１７】
2005301538.tif 000019
【図１８】
2005301538.tif 000020
【図１９】
2005301538.tif 000021
【図２０】
2005301538.tif 000022
【図２１】
2005301538.tif 000023
【図２２】
2005301538.tif 000024